(57)【要約】      （修正有）【課題】シェルの内側を清掃し易くつくられたペットキャリーを提供する。【解決手段】シェルを有するペットキャリー１であって、シェルが上側シェル２と下側シェル４から構成されており、上側シェル２と下側シェル４との合せ目に沿って設けられたジッパー６及び蝶番のうちの少なくとも一方を使って、上側シェル２が下側シェル４に対して開閉可能に構成されているペットキャリー１であって、ペットキャリー１は、上側シェル２の天面における４つの辺縁のうちの向かい合った２つの辺縁の各々に沿って設けられた２つのハンドル１４，１６をさらに備える。【選択図】図２
0003216068.tif 000002
【実用新案登録請求の範囲】
【請求項１】
シェルを有するペットキャリーであって、
上記シェルが上側シェルと下側シェルから構成されており、
上記上側シェルと上記下側シェルとの合せ目に沿って設けられたジッパー及び蝶番のうちの少なくとも一方を使って、上記上側シェルが上記下側シェルに対して開閉可能に構成されていることを特徴とする、ペットキャリー。
【請求項２】
上記上側シェルの天面における４つの辺縁のうちの向かい合った２つの辺縁の各々に沿って設けられた２つのハンドルをさらに備える、請求項１に記載のペットキャリー。
【請求項３】
上記上側シェルの天面に、ジッパー及び蝶番のうちの少なくとも一方を使って開閉可能に構成された蓋体が設けられていることを特徴とする、請求項１又は請求項２に記載のペットキャリー。
【考案の詳細な説明】
【技術分野】
【０００１】
本考案は、シェルを有するペットキャリーに関し、詳しくは、子犬、猫、ウサギなどの愛玩動物を乗せた状態でも安定よく運ぶことのできるペットキャリーに関する。また、シェルの内側を清掃し易くつくられたペットキャリーに関する。
【背景技術】
【０００２】
ペットを連れて旅行するときなどに、ペットキャリーが使用されることがあるが、子犬や猫などのペットを乗せているときには安定よく持ち上げないと、ペットが恐怖心を抱くかもしれない。特に、子犬や猫などを乗せたペットキャリーを持ち上げて階段を昇り降りするときになどに、安定よく持ち上げる必要がある。また、シェルを有する型式のペットキャリーは、シェルの内側を頻繁に清掃する必要がある。
【０００３】
特許文献１に開示されている従来のペットキャリーは、使用者の肩に掛けるための肩掛けの紐を備えている。しかし、このような肩掛けの紐は柔軟な素材から形成されているため、ペットキャリーを安定よく持ち運ぶことには適していない。
【先行技術文献】
【特許文献】
【０００４】
【特許文献１】実用新案登録第３０８５４４５号公報
【考案の概要】
【考案が解決しようとする課題】
【０００５】
１人若しくは２人で安定よく持ち上げることのできるペットキャリーがあるとよい。また、従来のペットキャリーにおいては、使用者がシェルの内側を清掃するときにシェルの奥の方まで手が届きにくいという問題があった。
【課題を解決するための手段】
【０００６】
シェルを有するペットキャリーであって、シェルが上側シェルと下側シェルから構成されており、上側シェルと下側シェルとの合せ目に沿って設けられたジッパー及び蝶番（つまりヒンジ）のうちの少なくとも一方を使って、上側シェルが下側シェルに対して開閉可能に構成されていることを特徴とする、ペットキャリーを提示する。
【０００７】
一実施例において、上側シェルの天面（上面）における４つの辺縁のうちの向かい合った２つの辺縁の各々に沿って設けられた２つのハンドルをさらに備えている。
【０００８】
さらなる実施例においては、上側シェルの天面に、ジッパー及び蝶番（つまりヒンジ）のうちの少なくとも一方を使って開閉可能に構成された蓋体が設けられていることを特徴とする。
【０００９】
本考案のペットキャリーは、硬質なシェルの天面の両側辺に沿って２つのハンドルを備えているので、１人若しくは２人でペットキャリーを持ち上げるときに、これらのハンドルを握ることにより安定よく持ち運ぶことができるものである。
【図面の簡単な説明】
【００１０】
【図１】本考案のペットキャリーの一実施例を示す斜視図。
【図２】蓋体が開いている状態のペットキャリーを示す斜視図。
【図３】側面視でのハンドル付近の断面を拡大して示す図。
【図４】ペットキャリーの平面図。
【図５】ペットキャリーの正面図。
【図６】上側シェルが下側シェルに対して開いた状態を示す斜視図。
【図７】上側シェルが下側シェルに対して開いた状態を示す斜視図。
【図８】上側シェルが下側シェルに対して開いた状態を示す斜視図。
【図９】上側シェルと下側シェルとが分離した状態を示す図。
【考案を実施するための形態】
【００１１】
図１は、一実施例における本考案のペットキャリー１を示す。ペットキャリー１のシェルは、硬質なプラスチック、アルミニウムなどの軽金属、或いはこれらの組合せから形成され得る。また、ペットキャリー１の使用者が、キャリーハンドル２４を握ってペットキャリー１を牽引しつつ移動することができるように、ペットキャリー１のシェルの底面に複数のキャスタ２２が設けられている。
【００１２】
一実施例においては、ペットキャリー１のシェルの一側面に、ジッパー２６を使って開閉可能に構成されたペット出入口２８が設けられている。一実施例においては、ペット出入口２８は、メッシュ状の柔軟な素材から形成されている。他の実施例においては、ペット出入口２８は、透明なプラスチックから形成されている場合もあれば、アルミニウムなどの軽金属から形成されている場合もある。
【００１３】
一実施例においては、ペットキャリー１の硬質なシェルは、上側シェル２と下側シェル４から構成されており、上側シェル２の天面における４つの辺縁のうちの向かい合った２つの辺縁に沿って、それぞれハンドル１４，１６が設けられている。１人若しくは２人の使用者が、これらのハンドル１４，１６をしっかりと握ることにより、ペットキャリー１を安定よく持ち上げることが可能となる。
【００１４】
さらなる実施例においては、上側シェル２の天面に蓋体９が設けられている。蓋体９は、ジッパー６及び蝶番のうちの少なくとも一方を使って開閉することができるように構成されている。一実施例においては、蓋体９は、メッシュ状の柔軟な素材から形成されている。他の実施例においては、蓋体９は、透明なプラスチックから形成されている場合もあれば、格子状のアルミニウムなどの軽金属から形成されている場合もある。
【００１５】
ジッパー１０を使って蓋体９が開閉可能に構成されている場合、或いはジッパー１０と蝶番を使って蓋体９が開閉可能に構成されている場合においては、ペットキャリー１の使用者が、ジッパー１０のスライダ１２を動かして蓋体９を開けると、図２に示されているように、ペットが出入りすることが可能となる。
【００１６】
代替的に、ジッパー１０を使うことなく合せ目が開閉可能に構成されている場合には、蓋体９の一辺に沿って蝶番が設けられているとともに、反対側の辺に沿ってフックやラッチからなる係合手段が設けられており、この係合手段による係合が解除されると、蝶番を回転軸として蓋体９を開くことができるようになる。
【００１７】
図３は、ペットキャリー１の側面視でのハンドル１６付近の断面の拡大図である。図３に示される実施例においては、ハンドル１６は、少しだけ外方へ突出している。また、ハンドル１６が設けられている上側シェル２の辺縁に沿って窪み１８が形成されていることにより、上側シェル２とハンドル１６との間に隙間２０が生じている。この隙間２０に使用者が手を入れて、ハンドル１６を掴むことができる。
【００１８】
他の実施例においては、ハンドル１４，１６の最外面が上側シェル２の外面と同じ高さに位置している、或いは、ハンドル１４，１６の最外面が上側シェル２の外面よりも内方に位置している場合もあり、その場合には、使用者がハンドル１４，１６を引っ張るとハンドル１４，１６の少なくとも中央部分が上側シェル２の外面よりも外方へ突出するように伸縮可能な素材から形成されているとよい。
【００１９】
図４は、一実施例におけるペットキャリー１の平面図である。
【００２０】
図５は、一実施例におけるペットキャリー１の正面図である。図５に示される実施例においては、上側シェル２と下側シェルに複数の空気孔が穿孔されている。
【００２１】
図６〜図８に示される実施例においては、ペットキャリー１の使用者が、上側シェル２と下側シェル４との合せ目に沿って設けられたジッパー６のスライダ７，８を動かすことにより、下側シェル４に対して上側シェル２を開閉することができるように構成されている。図６は、上側シェル２が下側シェル４に対して矢印Ａ方向へ開いたときの様子、図７は、上側シェル２が下側シェル４に対して矢印Ｂ方向へ開いたときの様子、図８は、上側シェル２が下側シェル４に対して矢印Ｃ方向へ開いたときの様子を示している。図６〜図８に示される実施例において上側シェル２が開いても、ペット出入口２８は、その形状を保ち続けるように、硬質なプラスチック、又はアルミニウムなどの軽金属から形成されているとよい。
【００２２】
他の実施例においては、ジッパー６に加えて、シェルの合せ目の一辺に沿って設けられた蝶番（図示せず）を使って、上側シェル２を開閉することができるように構成されている場合もある。その場合にも、ペットキャリー１の使用者が、ジッパー６のスライダ７，８を動かすことにより、上側シェル２と下側シェル４との一部の係合を解除すると、図６〜図８に示されるＡ〜Ｃ方向のいずれかの方向へ、蝶番を回転軸として上側シェル２を開くことができるようになる。
【００２３】
代替的に、ジッパー６を使わずに、シェルの合せ目が開閉可能に構成されている場合もある。その場合には、シェルの合せ目の一辺に沿って蝶番が設けられているとともに、反対側のシェルの辺に沿って、フックやラッチからなる係合手段が設けられており、この係合手段による係合が解除されると、蝶番を回転軸としてＡ〜Ｃ方向のいずれかの方向へ上側シェル２を開くことができるようになる。
【００２４】
さらに他の実施例においては、図９に示されるように、上側シェル２と下側シェル４とが完全に分離し得るように構成されている場合もある。その場合には、シェルの合せ目に沿って設けられたジッパー、ラッチ、或いは磁石などからなるロック機構を使って、上側シェル２と下側シェル４が分離可能に構成されている。
【００２５】
本考案のペットキャリー１は、使用者が、上側シェル２の天面の両側辺に沿って設けられたハンドル１４，１６を握ることにより、Ａ〜Ｃ方向のいずれの方向へも上側シェル２を開き易いという利点がある。これに加えて、下側シェル４に対して上側シェル２を開くこと、或いは上側シェル２と下側シェル４を分離することにより、ペットキャリー１の使用者がシェルの内側を清掃し易くなるという利点がある。
【符号の説明】
【００２６】
１…ペットキャリー
２…上側シェル
４…下側シェル
６…ジッパー
７…スライダ
８…スライダ
９…蓋体
１０…ジッパー
１２…スライダ
１４…ハンドル
１６…ハンドル
１８…窪み
２０…隙間
２２…キャスタ
２４…キャリーハンドル
２６…ジッパー
２８…ペット出入口
【図１】
0003216068.tif 000003
【図２】
0003216068.tif 000004
【図３】
0003216068.tif 000005
【図４】
0003216068.tif 000006
【図５】
0003216068.tif 000007
【図６】
0003216068.tif 000008
【図７】
0003216068.tif 000009
【図８】
0003216068.tif 000010
【図９】
0003216068.tif 000011